(57)【要約】      （修正有）【課題】工場の粉塵飛散を防止するネットを強風時でも安定して張設出来る方法を提供する。【解決手段】吊り上げ用ワイヤーロープ２２の両端の第１の係合部２２ａをネットの中間高さ位置の第２の係合部３ａと接続し、下部ワイヤガイド２１ｂ、上部ワイヤガイド２１ａを介して折り返し、中間高さワイヤガイド２１ｃを介してロープの中央係合部２２ｂでクレーンの先端フック２３ｂと係合する。クレーン車２３で該第２の係合部３ａを該中間高さワイヤガイド２１ｃの高さまで持ち上げ、該ネット下部の前記中間高さ相当部分Ｈ’／２を該１対のポールに止着し、前記吊り上げ用ワイヤーロープの第１の係合部２２ａの係合を解除する、必要に応じて残りのネット部分にも同様な工程を繰り返し、最後に前記ネットの全所定高さＨ’を一対のポール間に張る。【選択図】図８
2008121221.tif 000002
【特許請求の範囲】
【請求項１】
ポール間にネットを張る方法において、
互いに所定離間寸法（Ｗ）だけ離間して立設した１対の所定高さ（Ｈ）のポール（１）間に、略所定幅寸法（Ｗ）及び所定高さ（Ｈ´）のネット（８）を張る方法において、
（ａ）前記各ポール（１）の、上部位置、下部位置及び一つ以上の中間高さ（ｈ１、ｈ２、・・・、ｈ１＜ｈ２＜・・・）位置に上部ワイヤガイド（２１ａ）、下部ワイヤガイド（２１ｂ）、一つ以上の中間高さワイヤガイド（２１ｃ）を設け、
（ｂ）吊り上げ用ワイヤーロープ（２２）の両端の第１の係合部（２２ａ）を、前記各ポールにおいて、前記下部ワイヤガイド（２１ｂ）及び上部ワイヤガイド（２１ａ）を順次介して折り返して、更に前記高さｈ１の中間高さワイヤガイド（２１ｃ）を介して、前記中間高さワイヤガイド（２１ｃ）の高さ（ｈ１）に相当する前記ネットの高さ（ｈ１）位置の両横幅端部の第２の係合部（３ａ）に係合させ、
（ｃ）前記吊り上げ用ワイヤーロープ（２２）の略中央部を持ち上げることにより、前記ネットの第２の係合部（３ａ）を、前記下部ワイヤガイド（２１ｂ）、上部ワイヤガイド（２１ａ）、及び中間高さワイヤガイド（２１ｃ）を介して移動する該ワイヤーロープ（２２）を介して、前記中間高さワイヤガイド（２１ｃ）の高さ（ｈ１）まで持ち上げ、
（ｄ）前記ネット（８）の前記高さｈ１相当部分を前記１対のポール（１）に止着し、
（ｅ）前記吊り上げ用ワイヤーロープ（２２）の両端の第１の係合部（２２ａ）の前記第２の係合部（３ａ）に対する係合を解除して、次の前記中間高さワイヤガイド（２１ｃ）の高さ（ｈ２；ただしｈ２＞ｈ１）に相当する前記ネットの高さ（ｈ２）位置の両横幅端部の第２の係合部（３ａ）に係合させ、
（ｆ）前記吊り上げ用ワイヤーロープ（２２）の略中央部を更に持ち上げることにより、前記ネットの第３の係合部（３ａ）を前記高さｈ２の次の中間高さワイヤガイド（２１ｃ）位置まで持ち上げ、
（ｇ）前記ネット（８）の前記高さｈ１〜ｈ２相当部分を前記１対のポール（１）に止着し、
（ｈ）必要に応じて、前記（ｅ）〜（ｇ）の工程を繰り返して、前記ネット（８）の全所定高さ（Ｈ´）が１対のポール（１）間に張られる、
ことを特徴とするポール間にネットを張る方法。
【請求項２】
ポール間にネットを張る方法において、
互いに所定離間寸法（Ｗ）だけ離間して立設した１対の所定高さ（Ｈ）のポール（１）間に、略所定幅寸法（Ｗ）及び所定高さ（Ｈ´）のネット（８）を張る方法において、
（ａ）前記各ポール（１）の、上部位置、下部位置及び中間高さ位置に上部ワイヤガイド（２１ａ）、下部ワイヤガイド（２１ｂ）、中間高さワイヤガイド（２１ｃ）を設け、
（ｂ）吊り上げ用ワイヤーロープ（２２）の両端の第１の係合部（２２ａ）を、前記各ポールにおいて、前記下部ワイヤガイド（２１ｂ）及び上部ワイヤガイド（２１ａ）を順次介して折り返して、更に前記中間高さワイヤガイド（２１ｃ）を介して、前記中間高さワイヤガイド（２１ｃ）の高さに相当する前記ネットの中間高さ（Ｈ´／２）位置の両横幅端部の第２の係合部（３ａ）に係合させ、
（ｃ）前記吊り上げ用ワイヤーロープ（２２）の略中央部を持ち上げることにより、前記ネットの第２の係合部（３ａ）を、前記下部ワイヤガイド（２１ｂ）、上部ワイヤガイド（２１ａ）、及び中間高さワイヤガイド（２１ｃ）を介して移動する該ワイヤーロープ（２２）を介して、前記中間高さワイヤガイド（２１ｃ）の高さまで持ち上げ、
（ｄ）前記ネット（８）の前記中間高さ（Ｈ´／２）相当部分を前記１対のポール（１）に止着し、
（ｅ）前記吊り上げ用ワイヤーロープ（２２）の両端の第１の係合部（２２ａ）の前記第２の係合部（３ａ）に対する係合を解除して、前記ネットの最高高さ（Ｈ´）位置の両横幅端部の第２の係合部（３ａ）に係合させ、
（ｆ）前記吊り上げ用ワイヤーロープ（２２）の略中央部を更に持ち上げることにより、前記ネットの第３の係合部（３ａ）を前記上部ワイヤガイド（２１ａ）位置まで持ち上げ、
（ｇ）前記ネット（８）の前記高さＨ´／２〜Ｈ´相当部分を前記１対のポール（１）に止着することにより、前記ネット（８）の全所定高さ（Ｈ´）が１対のポール（１）間に張られる、
ことを特徴とするポール間にネットを張る方法。
【請求項３】
請求項１又は２に記載の方法において、
前記ワイヤガイド（２１ａ、２１ｂ、２１ｃ）は、前記吊り上げ用ワイヤーロープ（２２）を案内する滑車であることを特徴とするポール間にネットを張る方法。
【請求項４】
請求項１又は２に記載の方法において、
前記吊り上げ用ワイヤーロープ（２２）の両端の第１の係合部（２２ａ）はシャックル（２２ａ）であり且つ前記ネットの第２の係合部（３ａ）はループ状端部（３ａ）であることを特徴とするポール間にネットを張る方法。
【請求項５】
請求項１又は２に記載の方法において、
前記吊り上げ用ワイヤーロープ（２２）の略中央部を持ち上げる作業は、クレーン車（２３）により行われることを特徴とするポール間にネットを張る方法。
【発明の詳細な説明】
【技術分野】
【０００１】
本出願は、ポール間にネットを張る方法であって、工場の石灰、コークス等の盛り部分の粉塵（土、砂、石灰、コークス、鉱石、木材チップ、塗料等）が風に吹かれて飛散するのを防止するためのネットを張る方法に関する。
【従来技術】
【０００２】
一般に、各種工場内には、石灰、コークス、鉱石、土、木材粉等が盛られていることがあり、風が吹くとこれらの粉塵が工場外の民家等へ飛散してしまうことがある。これを防止するために、前記盛り部分の周囲に一定間隔でポールを立設してこのポール間に比較的網目の小さいネットを張って前記盛り部分を囲んで、このネットにより飛散する粉塵を留めてその飛散を防止するようにしていた。
【０００３】
従来のポール間にネットを張る方法の一例として、図１及び図２に示すものがある。図１中、所定寸法Ｗだけ離間して立設した１対のポール（高さＨ）１の各々の高さ方向の略等間隔の複数位置にシャックル２を取付けておき（図１及び図３参照）、同じ高さ位置のシャックル２間に合計複数本のワイヤロープ３を張設する。隣接するワイヤロープ３間の寸法ΔＨ（図１参照）は例えば１ｍである。なお、図３及び図４に示す如く、各シャックル２はその孔２ａを貫通するボルト４が更にポール１のリブ板１ａの孔１ｂを貫通してナット５により固着されており、ワイヤロープ３のループ状端部３ａがこのシャックル２に係合されて止着される。実際には、これらの作業は、図１に示す如く、高所作業車６を使用して作業員７が行う。
【０００４】
続いて、図２に示す如く、高所作業車６に乗った作業員７が、隣接するワイヤロープ３間にネット（幅Ｗ、及び高さΔＨ）８Ａをかがりロープ（図示を省略）を使用して縫いながら留め、全ての隣接するワイヤロープ３間に同様の操作でネット８Ａを留めて、全体としてネットを張る作業を完了する。
【０００５】
しかるに上記方法によれば、（１）ネット８Ａを縫いながら取付ける時にネット８Ａが防塵用でありめが細かいために風にあおられ易く縫い作業が行い難いことがあり、また（２）ネット８Ａの取付け時に、ネット８を広げたときに風にあおられて危険であり、又（３）高さΔＨのネット８Ａを一枚ずつ取付けていくので、作業工数及び作業時間が多大になるという問題点があった。
【０００６】
従来のポール間にネットを張る方法の他の例として、図５及び図６に示すものがあり、各図中、図１及び図２と同一部分には同一符号を付してその説明を省略する。図５中、各ポール１は上部に夫々滑車９を有する。また２つのネット８Ｂは夫々４本のワイヤロープ３を予め縫い込まれて両端にそのループ端部３ａを有すると共に高さ３ΔＨを有し、且つネット８Ｃは３本のワイヤロープ３を予め縫い込まれて両端にそのループ端部３ａを有すると共に高さ２ΔＨを有する。
【０００７】
続いて、図６に示す如く、２台のバックホウ１０により、ネット８Ｂの両方のループ状端部３ａに係合した引張ワイヤ１１を滑車９を介して引っ張ることにより、該ネット８Ｂを吊り上げる。このネット８Ｂは、図示しないが、その両端の４個所のループ状端部３ａが図１及び図３に示した方法と同様の方法によりポール１に止着される。２番目のネット８Ｂ、３番目のネット８Ｃについても同様の方法で順次吊り上げられてポール１に止着される。
【発明の開示】
【発明が解決しようとする課題】
【０００８】
しかるに上記方法によれば、（１）ネット８Ｂ、８Ｃをポール１へ止着する時に図１及び図２の従来例と同様に、ネット８が風にあおられて止着作業が行い難いことがあり、また（２）ネット８Ｂ、８Ｃを吊り上げるときに、ネットが風にあおられて引張ワイヤ１１が逆に矢印Ｂ方向へ引っ張られてバックホウ１０が浮き上がって危険なことがあり、また（３）３枚のネットを一枚ずつ取付けていくので、作業工数及び作業時間が多大になるという問題点があった。
【課題を解決するための手段】
【０００９】
上記課題を解決するための本発明は、ポール間にネットを張る方法において、互いに所定離間寸法（Ｗ）だけ離間して立設した１対の所定高さ（Ｈ）のポール（１）間に、略所定幅寸法（Ｗ）及び所定高さ（Ｈ´）のネット（８）を張る方法において、
（ａ）前記各ポール（１）の、上部位置、下部位置及び一つ以上の中間高さ（ｈ１、ｈ２、・・・、ｈ１＜ｈ２＜・・・）位置に上部ワイヤガイド（２１ａ）、下部ワイヤガイド（２１ｂ）、一つ以上の中間高さワイヤガイド（２１ｃ）を設け、
（ｂ）吊り上げ用ワイヤーロープ（２２）の両端の第１の係合部（２２ａ）を、前記各ポールにおいて、前記下部ワイヤガイド（２１ｂ）及び上部ワイヤガイド（２１ａ）を順次介して折り返して、更に前記高さｈ１の中間高さワイヤガイド（２１ｃ）を介して、前記中間高さワイヤガイド（２１ｃ）の高さ（ｈ１）に相当する前記ネットの高さ（ｈ１）位置の両横幅端部の第２の係合部（３ａ）に係合させ、
（ｃ）前記吊り上げ用ワイヤーロープ（２２）の略中央部を持ち上げることにより、前記ネットの第２の係合部（３ａ）を、前記下部ワイヤガイド（２１ｂ）、上部ワイヤガイド（２１ａ）、及び中間高さワイヤガイド（２１ｃ）を介して移動する該ワイヤーロープ（２２）を介して、前記中間高さワイヤガイド（２１ｃ）の高さ（ｈ１）まで持ち上げ、
（ｄ）前記ネット（８）の前記高さｈ１相当部分を前記１対のポール（１）に止着し、
（ｅ）前記吊り上げ用ワイヤーロープ（２２）の両端の第１の係合部（２２ａ）の前記第２の係合部（３ａ）に対する係合を解除して、次の前記中間高さワイヤガイド（２１ｃ）の高さ（ｈ２；ただしｈ２＞ｈ１）に相当する前記ネットの高さ（ｈ２）位置の両横幅端部の第２の係合部（３ａ）に係合させ、
（ｆ）前記吊り上げ用ワイヤーロープ（２２）の略中央部を更に持ち上げることにより、前記ネットの第３の係合部（３ａ）を前記高さｈ２の次の中間高さワイヤガイド（２１ｃ）位置まで持ち上げ、
（ｇ）前記ネット（８）の前記高さｈ１〜ｈ２相当部分を前記１対のポール（１）に止着し、
（ｈ）前記（ｅ）〜（ｇ）の工程を繰り返して、前記ネット（８）の全所定高さ（Ｈ´）が１対のポール（１）間に張られる、ことを特徴とするポール間にネットを張る方法である。
【００１０】
また、特に本発明は、ポール間にネットを張る方法において、
互いに所定離間寸法（Ｗ）だけ離間して立設した１対の所定高さ（Ｈ）のポール（１）間に、略所定幅寸法（Ｗ）及び所定高さ（Ｈ´）のネット（８）を張る方法において、
（ａ）前記各ポール（１）の、上部位置、下部位置及び中間高さ位置に上部ワイヤガイド（２１ａ）、下部ワイヤガイド（２１ｂ）、中間高さワイヤガイド（２１ｃ）を設け、
（ｂ）吊り上げ用ワイヤーロープ（２２）の両端の第１の係合部（２２ａ）を、前記各ポールにおいて、前記下部ワイヤガイド（２１ｂ）及び上部ワイヤガイド（２１ａ）を順次介して折り返して、更に前記中間高さワイヤガイド（２１ｃ）を介して、前記中間高さワイヤガイド（２１ｃ）の高さに相当する前記ネットの中間高さ（Ｈ´／２）位置の両横幅端部の第２の係合部（３ａ）に係合させ、
（ｃ）前記吊り上げ用ワイヤーロープ（２２）の略中央部を持ち上げることにより、前記ネットの第２の係合部（３ａ）を、前記下部ワイヤガイド（２１ｂ）、上部ワイヤガイド（２１ａ）、及び中間高さワイヤガイド（２１ｃ）を介して移動する該ワイヤーロープ（２２）を介して、前記中間高さワイヤガイド（２１ｃ）の高さまで持ち上げ、
（ｄ）前記ネット（８）の前記中間高さ（Ｈ´／２）相当部分を前記１対のポール（１）に止着し、
（ｅ）前記吊り上げ用ワイヤーロープ（２２）の両端の第１の係合部（２２ａ）の前記第２の係合部（３ａ）に対する係合を解除して、前記ネットの最高高さ（Ｈ´）位置の両横幅端部の第２の係合部（３ａ）に係合させ、
（ｆ）前記吊り上げ用ワイヤーロープ（２２）の略中央部を更に持ち上げることにより、前記ネットの第３の係合部（３ａ）を前記上部ワイヤガイド（２１ａ）位置まで持ち上げ、
（ｇ）前記ネット（８）の前記高さＨ´／２〜Ｈ´相当部分を前記１対のポール（１）に止着することにより、前記ネット（８）の全所定高さ（Ｈ´）が１対のポール（１）間に張られる、ことを特徴とするポール間にネットを張る方法である。
【００１１】
好ましくは、前記ワイヤガイド（２１ａ、２１ｂ、２１ｃ）は、前記吊り上げ用ワイヤーロープ（２２）を案内する滑車である。
【００１２】
また好ましくは、前記吊り上げ用ワイヤーロープ（２２）の両端の第１の係合部（２２ａ）はシャックル（２２ａ）であり且つ前記ネットの第２の係合部（３ａ）はループ状端部（３ａ）である。
【００１３】
また好ましくは、前記吊り上げ用ワイヤーロープ（２２）の略中央部を持ち上げる作業は、クレーン車（２３）により行われる。
【本発明の効果】
【００１４】
（１）ネットとワイヤロープとを縫い付けてネットの全体を完成する作業は風の影響を受けない地上で行うことができるため、しっかりと縫うことが出来る。
（２）ネットをポール１へ取付けるときにネットを人力で広げるのでなくクレーン車等により吊り上げ用ワイヤロープを介して広げているので安全である。
（３）完成状態のネットを少ない工数でポール１へ取付けているので、全体の作業工数及び作業費用を低減し得る。
（４）ネットの吊り上げをクレーン車で行っているが、ネットが受ける風圧の殆どはワイヤガイド（滑車）を介して地上への支持物であるポール１が受けて支えているから、ネット自体が風によりあおられる影響を極力抑えることができ、強風時でも安定したネット吊り上げ作業を行える。
【発明を実施するための最良の形態】
【００１５】
図７乃至図１２は、本発明になるポール間にネットを張る方法の工程を示す斜視図であり、各図中、図１乃至図６と同一部分には同一符号を付してその説明を省略する。
【００１６】
図７中、各ポール１は、その上部位置、下部位置、中間高さ位置に夫々ワイヤガイド用の滑車２１ａ、２１ｂ、２１ｃを取付けられている。
【００１７】
また、ネット８は、予め、幅Ｗ及び高さΔＨ（例えばΔＨ＝１ｍ）のネット部分８Ａが合計９本のワイヤロープ３を介して８枚分接続されて全体が１枚のネット８とされ、その両側には夫々９個のワイヤロープのループ状端部３ａが形成される。
【００１８】
次に、図８に示す如く、吊り上げ用ワイヤロープ２２の中央部をポール１間に置いて、そのワイヤロープ２２の両端部を夫々下方滑車２１ｂ、上方滑車２１ａを通して折り返して（図１３参照）、更に中間高さ滑車２１ｃを介して導く。そして、そのワイヤロープ２２の先端シャックル２２ａをネット８の両側の例えば中間高さ寸法Ｈ´／２＝４ΔＨ（図７参照）の位置の中央ループ状端部３ａに係合させる。滑車２１の詳細については図１３を参照、またシャックル２２ａと中央ループ状端部３ａとの係合状態については図１４参照。
【００１９】
そして、図８に示す如く、クレーン車２３のクレーンアーム２３ａの先端フック２３ｂを吊り上げ用ワイヤロープ２２の中央係合部２２ｂに係合させて、クレーンアーム２３ａを矢印Ｃ方向へ上動させることにより、ワイヤロープ２２の中央係合部２２ｂを持ち上げる。すると、吊り上げ用ワイヤロープ２２には、滑車２１ｂ、２１ａ、２１ｃを介して順次矢印Ｄ１、Ｄ２、Ｄ３で示す如き張力が生じて、先端シャックル２２ａ、中央ループ状端部３ａを介してネット８の中央高さ部分が徐々に持ち上げられる。
【００２０】
次に、図９に示す如く、ネット８の中央高さ部分が、略、中間高さ滑車２１ｃと略同等高さ位置まで持ち上げられた位置で、一旦持ち上げ作業を停止する。そして他の高所作業車６を用いて、作業員７により、ネット８の下半分高さＨ´／２の両側の５個所のループ状端部３ａを図２と同様にしてシャックル２（図９中では図示を省略）を介してポール１に止着する。
【００２１】
次に、図１０に示す如く、中間高さの滑車２１ｃを取り外すと共に、ワイヤロープ２２の両端のシャックル２２ａがネット８の中央高さ（Ｈ´／２）部分の両側中央ループ状端部３ａに係合していたのを夫々解除して、今度はネット８の最上部（図１０中では手前最下方部へ垂れ下がって見える）の両側ループ状端部３ａに夫々係合させる。そして、クレーンアーム２３ａを矢印Ｃ方向へ引き続き上動させることにより、吊り上げ用ワイヤロープ２２には、滑車２１ｂ、２１ａを介して順次矢印Ｄ１、Ｄ２、Ｄ３で示す如き張力が生じて、両端シャックル２２ａ、ループ状端部３ａを介してネット８の最上部が徐々に持ち上げられる。
【００２２】
次に、図１１に示す如く、ネット８の最上部が、上部滑車２１ａと略同等高さまで持ち上げられた位置で、持ち上げ作業は完了する。そして他の高所作業車６を用いて、作業員７により、ネット８の上半分高さＨ´／２の両側の４個所のループ状端部３ａを図９と同様にしてシャックル２を介してポール１に止着する。
【００２３】
最後に上部及び下部滑車２１ａ、２１ｂを取り外せば、図１２に示す如く、ネット８のポール１に対する取り付け作業が完了する。
【００２４】
なお、上記実施例では、図８の工程において、ワイヤロープ２２の先端シャックル２２ａをネット８の中間高さ寸法Ｈ´／２＝４ΔＨの個所の中央ループ状端部３ａ（図７参照）に係合させていたが、これに限ることなく、例えば風の強い日は風の抵抗を軽減させるために、中間高さ寸法Ｈ´／２＝４ΔＨの位置を適宜ずらせても良いし、また例えば最初に高さ寸法３ΔＨのループ状端部３ａに係合させて吊り上げ、続いて例えば次の高さ寸法３ΔＨのループ状端部３ａに係合させて吊り上げ、最後に残りの高さ寸法２ΔＨ（即ち、最上部）のループ状端部３ａに係合させて吊り上げる、即ち、両端シャックル２２ａの中央ループ状端部３ａに対する付け替え作業を２回行うようにしても良い。この場合は中間高さ位置の滑車２１ｃは異なる２個所の高さ位置に設ける。
【００２５】
更には、この付け替え作業は２回に限らず、３回以上行うようにしてもよい。
【００２６】
また、上記ネット８の高さは８ΔＨ（＝８ｍ）であるが、これに限らず、８ΔＨ以下又は８ΔＨ以上の高さを有してもよく、その場合ΔＨが１ｍより小さい又は大きい寸法であってもよいことは当然である。
【００２７】
また、滑車２１ａ、２１ｂ、２１ｃは、これに限らず、吊り上げ用ワイヤロープ２２をガイドし得るものであれば何でも良い。
【００２８】
また、上記実施例ではポール１は１対のみ設けられているが、３本以上が所定間隔で配列されていて、これら全てのポール間に夫々順次、上記の方法により合計３張り以上のネットを張るようにしてもよい。
【図面の簡単な説明】
【００２９】
【図１】ポール間にネットを張る方法の第１の従来例の第１工程の概略図である。
【図２】上記第１の従来例の第２工程の概略図である。
【図３】上記第１の従来例においてネットのワイヤロープ３をシャックルを介してポールへ止着した状態の部分斜視図である。
【図４】図３のシャックルの分解斜視図である。
【図５】ポール間にネットを張る方法の第２の従来例の第１工程の概略図である。
【図６】上記第２の従来例の第２工程の概略図である。
【図７】本発明になるポール間にネットを張る方法の一実施形態の第１工程の概略図である。
【図８】図７の一実施形態の第２工程の概略図である。
【図９】図７の一実施形態の第３工程の概略図である。
【図１０】図７の一実施形態の第４工程の概略図である。
【図１１】図７の一実施形態の第５工程の概略図である。
【図１２】図７の一実施形態の完成状態の概略図である。
【図１３】図７の一実施形態に適用される滑車部分の斜視図である。
【図１４】図７の一実施形態に適用される吊り上げ用ワイヤロープの端部のシャックルとネットのワイヤロープのループ状端部とが係合する状態を示す図である。
【符号の説明】
【００３０】
１  ポール
２、２２ａ  シャックル
３  ネットのワイヤロープ
３ａ  ループ状端部
６  高所作業車
７  作業員
８、８Ａ、８Ｂ、８Ｃ  ネット
９、２１ａ、２１ｂ、２１ｃ  滑車
１０  バックホウ
２２  吊り上げ用ワイヤロープ
２２ｂ  係合部
２３  クレーン車
２３ａ  クレーンアーム
２３ｂ  フック
【図１】
2008121221.tif 000003
【図２】
2008121221.tif 000004
【図３】
2008121221.tif 000005
【図４】
2008121221.tif 000006
【図５】
2008121221.tif 000007
【図６】
2008121221.tif 000008
【図７】
2008121221.tif 000009
【図８】
2008121221.tif 000010
【図９】
2008121221.tif 000011
【図１０】
2008121221.tif 000012
【図１１】
2008121221.tif 000013
【図１２】
2008121221.tif 000014
【図１３】
2008121221.tif 000015
【図１４】
2008121221.tif 000016